(57)【要約】【課題】様々な種類の物品の収納に共通して用いることが可能な物品収納具を提供する。【解決手段】対向する一対の側壁を有する収納具本体と、一対の側壁間に亘って取り付けられる着脱可能な板部材とを備え、収納具本体は、一対の側壁間に、物品を収納するための収納空間が形成されると共に、該一対の側壁の縁部間に、収納空間内に物品を挿脱させるための開口が形成されており、板部材は、開口の一部を閉塞するよう、一対の側壁の縁部に沿って取り付けられる第１の取付態様と、収納空間を仕切るよう、該収納空間内に挿入されて取り付けられる第２の取付態様とを選択可能に構成されている。【選択図】図４
2020117247.tif 000002
【特許請求の範囲】
【請求項１】
対向する一対の側壁を有する収納具本体と、
前記一対の側壁間に亘って取り付けられる着脱可能な板部材と
を備え、
前記収納具本体は、前記一対の側壁間に、物品を収納するための収納空間が形成されると共に、該一対の側壁の縁部間に、前記収納空間内に物品を挿脱させるための開口が形成されており、
前記板部材は、前記開口の一部を閉塞するよう、前記一対の側壁の前記縁部に沿って取り付けられる第１の取付態様と、前記収納空間を仕切るよう、該収納空間内に挿入されて取り付けられる第２の取付態様とを選択可能に構成されている
ことを特徴とする物品収納具。
【請求項２】
前記板部材は、前記一対の側壁間に挿入可能な横幅を有する矩形板状に形成され、左右両側縁部から幅方向外側に向けてそれぞれ延出する係合突起を有しており、
前記一対の側壁は、前記第１の取付態様において、前記板部材の前記係合突起が嵌合する嵌合凹部を有し、かつ、前記第２の取付態様において、前記板部材の前記係合突起がスライド挿入される案内溝が前記収納空間の奥行き方向に沿って形成されている
ことを特徴とする請求項１に記載の物品収納具。
【請求項３】
前記嵌合凹部及び前記案内溝は、該嵌合凹部及び該案内溝間に立設された抜け止め壁を介して、前記収納空間の奥行き方向に向かって連続している
ことを特徴とする請求項２に記載の物品収納具。
【請求項４】
前記係合突起は、前記板部材の左右両側縁部の上方側及び下方側にそれぞれ設けられており、
前記一対の側壁は、前記第１の取付態様において、前記板部材の前記上方側の係合突起が嵌合する上方側嵌合凹部と、前記板部材の前記下方側の係合突起が嵌合する下方側嵌合凹部とを有し、
前記案内溝は、前記第２の取付態様において、前記板部材の前記上方側の係合突起と前記下方側の係合突起とが該案内溝内に配置される奥行き方向の長さを有する
ことを特徴とする請求項２又は３に記載の物品収納具。
【請求項５】
前記板部材は、上端縁部及び下端縁部の少なくとも一方に、該板部材の平面と直交する方向に向けて延出するフランジ部を有する
ことを特徴とする請求項１〜４いずれか１項記載の物品収納具。
【発明の詳細な説明】
【技術分野】
【０００１】
本発明は、小型備品等の小物類を収納するための物品収納具に関するものである。
【背景技術】
【０００２】
従来、例えばスーパーマーケット等においては、惣菜類、パン類、スープ類等の商品を購入者自らが使い捨て容器等に取り分け、レジに持参するというセルフサービス形式の販売が行われている。また、例えばコンビニエンスストア等においても、コーヒー等の飲料商品の提供に関し、セルフサービス形式の販売が行われている（例えば特許文献１等）。さらに、近年では、購入者自らが購入処理を行うセルフレジも広く普及している。
【０００３】
このようなセルフサービス形式の販売やセルフレジにおいては、商品を入れるためのカップ及びその蓋等の使い捨て容器や、割り箸、フォーク、スプーン、ストロー等の使い捨て食器や、醤油、ソース、わさび、ガムシロップ、ミルク等の付属調味料等、様々な種類の小型備品が各商品の売り場やセルフレジ近傍に配置され、購入者が自由に持ち帰ることができるようにされている。これらの小型備品は、トレー等の上に平積みされた状態やケース等に入れた状態で配置されることが一般的である。
【先行技術文献】
【特許文献】
【０００４】
【特許文献１】特開２０１５−２１４３４６号公報
【発明の概要】
【発明が解決しようとする課題】
【０００５】
しかしながら、これらの小型備品は、それぞれ形状や大きさが全く異なることから、使用に適したケースの形状や大きさも異なる。このため、各店舗において多種類のケースを用意する必要があり、負担が大きいと共に、異なる種類のケースを使用することにより売り場の見栄えが損なわれるおそれがあるという問題がある。
【０００６】
そこで、本発明は、様々な種類の物品の収納に共通して用いることが可能な物品収納具を提供することを目的とする。
【課題を解決するための手段】
【０００７】
以上の目的を達成するため、本発明に係る物品収納具は、対向する一対の側壁を有する収納具本体と、前記一対の側壁間に亘って取り付けられる着脱可能な板部材とを備え、前記収納具本体は、前記一対の側壁間に、物品を収納するための収納空間が形成されると共に、該一対の側壁の縁部間に、前記収納空間内に物品を挿脱させるための開口が形成されており、前記板部材は、前記開口の一部を閉塞するよう、前記一対の側壁の前記縁部に沿って取り付けられる第１の取付態様と、前記収納空間を仕切るよう、該収納空間内に挿入されて取り付けられる第２の取付態様とを選択可能に構成されていることを特徴とする。
【０００８】
本発明に係る物品収納具において、前記板部材は、前記一対の側壁間に挿入可能な横幅を有する矩形板状に形成され、左右両側縁部から幅方向外側に向けてそれぞれ延出する係合突起を有しており、前記一対の側壁は、前記第１の取付態様において、前記板部材の前記係合突起が嵌合する嵌合凹部を有し、かつ、前記第２の取付態様において、前記板部材の前記係合突起がスライド挿入される案内溝が前記収納空間の奥行き方向に沿って形成される構成としても良い。
【０００９】
本発明に係る物品収納具において、前記嵌合凹部及び前記案内溝は、該嵌合凹部及び該案内溝間に立設された抜け止め壁を介して、前記収納空間の奥行き方向に向かって連続していることが好ましい。
【００１０】
本発明に係る物品収納具において、前記係合突起は、前記板部材の左右両側縁部の上方側及び下方側にそれぞれ設けられており、前記一対の側壁は、前記第１の取付態様において、前記板部材の前記上方側の係合突起が嵌合する上方側嵌合凹部と、前記板部材の前記下方側の係合突起が嵌合する下方側嵌合凹部とを有し、前記案内溝は、前記第２の取付態様において、前記板部材の前記上方側の係合突起と前記下方側の係合突起とが該案内溝内に配置される奥行き方向の長さを有することが好ましい。
【００１１】
本発明に係る物品収納具において、前記板部材は、上端縁部及び下端縁部の少なくとも一方に、該板部材の平面と直交する方向に向けて延出するフランジ部を有することが好ましい。
【発明の効果】
【００１２】
本発明によれば、様々な種類の物品の収納に共通して用いることが可能な物品収納具を提供することができる。
【図面の簡単な説明】
【００１３】
【図１】本発明の一実施形態に係る物品収納具を一部分解して示す斜視図である。
【図２】本実施形態に係る物品収納具の収納具本体を分解して示す斜視図である。
【図３】収納具本体の側壁と板部材との寸法関係を示す図である。
【図４】図４（ａ）は、本実施形態に係る物品収納具の第１の取付態様を示す斜視図であり、図４（ｂ）は、第２の取付態様を示す斜視図である。
【図５】図５（ａ）は、収納具本体の付属部品の一例を示す斜視図であり、図５（ｂ）は、該付属部品を本実施形態に係る物品収納具に取り付けた状態を示す斜視図である。
【図６】図６（ａ）は、収納具本体の付属部品の他の例を示す斜視図であり、図６（ｂ）は、該付属部品を収納具本体に取り付けた状態を示す斜視図である。
【図７】本実施形態に係る物品収納具の使用状態の一例を示す斜視図である。
【図８】本実施形態に係る物品収納具の使用状態の他の一例を示す斜視図である。
【図９】本実施形態に係る物品収納具の使用状態の更に他の例を示す斜視図である。
【発明を実施するための形態】
【００１４】
次に、本発明に係る物品収納具の好ましい実施形態について、図面を参照して説明する。なお、以下の実施形態は、各請求項に係る発明を限定するものではなく、また、実施形態の中で説明されている特徴の組み合わせの全てが発明の解決手段に必須であるとは限らない。
【００１５】
本実施形態に係る物品収納具１は、図１に示すように、物品を収納するための収納空間１２を有する収納具本体１０と、収納具本体１０に着脱可能に取り付けられる板部材３０とを備えている。本実施形態に係る物品収納具１は、収納具本体１０に対する板部材３０の取付態様として、図４（ａ）に示す第１の取付態様と、図４（ｂ）に示す第２の取付態様とを、収納対象となる物品（小型備品）の形状や大きさに応じて、任意に選択可能に構成されている。以下、当該物品収納具１の構成について、詳述する。
【００１６】
以下、本明細書の説明において、正面、背面、右側面、左側面、上面及び底面は、図１に示すように物品収納具１を立設させた状態（物品収納具１の長手方向が鉛直方向に沿うよう載置させた状態）における正面、背面、右側面、左側面、上面及び底面をいうものとする。なお、「正面」は、同状態における四方面のうち、収納空間１２に物品を出し入れするための開口１３ｂが形成された側の面とする。
【００１７】
また、本明細書の説明において、「上下方向」とは、同状態における鉛直方向（図１中の方向Ｚ）をいい、「水平方向」とは、該上下方向に直交する方向をいう。さらに、「幅方向」とは、水平方向のうち、右側面及び左側面が互いに対向する方向（図１中の方向Ｘ）をいい、「奥行き方向」とは、水平方向のうち、正面から背面に向かう方向（図１中の方向Ｙ）をいうものとする。
【００１８】
収納具本体１０は、図１及び図２に示すように、背面及び底面を形成するＬ字状の基台１４と、該基台１４を挟んで対向する一対の側壁２０Ａ，２０Ｂとを備えており、これら部材が互いに分離可能に構成されている。
【００１９】
収納具本体１０は、一対の側壁２０Ａ，２０Ｂによって基台１４を挟持するようこれらの部材を組み付けることにより、右側面、左側面、背面及び底面を有し、正面及び上面が開放された箱体に形成されている。具体的には、収納具本体１０は、一対の側壁２０Ａ，２０Ｂ間に、物品を収納するための収納空間１２が形成されると共に、これら一対の側壁２０Ａ，２０Ｂの上縁部２０ｃ間及び正面側の縁部２０ａ間に、収納空間１２内に物品を挿脱させるための開口１３ａ，１３ｂが形成されている。
【００２０】
基台１４は、図１及び図２に示すように、物品収納具１の背面となる背面部１４ａと、物品収納具１の底面となる底面部１４ｂとから形成されている。背面部１４ａは、上下方向Ｚを長手方向とする縦長の矩形板状に形成されており、上下一対の横長の貫通孔１５ａ，１５ｂが形成されている。貫通孔１５ａ，１５ｂは、後述する縦方向仕切り部材４０や傾斜部材等の付属部品を取り付けるための取付孔として機能するよう構成されている。底面部１４ｂは、略正方形の板状に形成されており、背面部１４ａの下端縁全域から正面方向に向けて水平方向に延出している。背面部１４ａ及び底面部１４ｂの幅方向Ｘの長さは、板部材３０の後述する左右一対の係合突起３６ａ，３６ｂ，３８ａ，３８ｂを含めた幅方向Ｘの長さと略同じとなるよう設定されている。なお、背面部１４ａ及び底面部１４ｂの形状は、図示の例に限定されず、任意に設定することが可能である。
【００２１】
一対の側壁２０Ａ，２０Ｂは、図１及び図２に示すように、基台１４に取り付けられることにより、それぞれ物品収納具１の側面を形成するよう構成されている。なお、一対の側壁２０Ａ，２０Ｂは、互いに面対称な形状を有することから、以下では、左側面を形成する側壁２０Ａについてのみ説明し、右側面を形成する側壁２０Ｂについてはその説明を省略する。
【００２２】
側壁２０Ａ（２０Ｂ）は、図１及び図２に示すように、上下方向Ｚを長手方向とする縦長の矩形板状に形成されている。側壁２０Ａ（２０Ｂ）の背面側の縁部２０ｂは、基台１４の背面部１４ａの上下方向Ｚの長さと略同じ長さを有しており、側壁２０Ａ（２０Ｂ）の下縁部２０ｄは、基台１４の底面部１４ｂの奥行き方向Ｙの長さと略同じ長さを有している。側壁２０Ａ（２０Ｂ）の上縁部２０ｃと正面側の縁部２０ａとの境界部分は、所定の曲率からなるＲ状（曲線状）に形成されている。
【００２３】
側壁２０Ａ（２０Ｂ）の各縁部２０ａ〜２０ｄは、図１及び図２に示すように、それぞれ、他の側壁２０Ｂ（２０Ａ）に向かう方向に沿って僅かに延出したフランジ形状を有している。また、側壁２０Ａ（２０Ｂ）の背面側の縁部２０ｂには、基台１４の背面部１４ａの縁部を挟み込んで支持する一対の背面側支持片２４ａ，２４ｂが形成されており、側壁２０Ａ（２０Ｂ）の下縁部２０ｄには、基台１４の底面部１４ｂの縁部を挟み込んで支持する一対の下縁側支持片２４ｄ，２４ｅが形成されており、側壁２０Ａ（２０Ｂ）の背面側の上端角部には、上縁部２０ｃから背面側の縁部２０ｂに亘って延びる逆Ｌ字状の上端角部支持片２４ｃが形成されている。これら背面側支持片２４ａ，２４ｂ、上端角部支持片２４ｃ及び下縁側支持片２４ｄ，２４ｅは、側壁２０Ａ（２０Ｂ）と基台１４との連結部として機能すると共に、基台１４の背面部１４ａ及び底面部１４ｂの変形を抑制するよう構成されている。
【００２４】
本実施形態において、一対の背面側支持片２４ａ，２４ｂは、図２に示すように、基台１４の背面部１４ａの正面側に位置する前部支持片２４ａと、基台１４の背面部１４ａの背面側に位置する後部支持片２４ｂとが、これらの一部（図示の例では前部支持片２４ａの上端部近傍と後部支持片２４ｂの下端部近傍）が重なるよう、上下方向Ｚに位置をずらして設けられている。このように前部支持片２４ａと後部支持片２４ｂとの上下方向Ｚの位置をずらすことにより、上下方向Ｚの位置を完全に一致させた場合と比較して、基台１４の背面部１４ａをより広い範囲で支持することが可能となる。ただし、このように位置をずらした構成に限定されず、上下方向Ｚの位置を完全に一致させた構成としても良い。
【００２５】
側壁２０Ａ（２０Ｂ）において、上縁部側の所定の領域（本実施形態では正面側の縁部２０ａがＲ状に形成された領域）には、図１及び図２に示すように、物品収納具１を他の物品収納具１と連結させるための連結用貫通孔２１ａと、一対の側壁２０Ａ，２０Ｂ間に亘って棒状部材等を挿通させるための部材挿通用貫通孔２１ｂとが形成されている。本実施形態に係る物品収納具１は、このような連結用貫通孔２１ａを有することにより、適宜の連結手段を用いて、物品収納具１を複数連結して使用することが可能である（図７〜図９参照）。
【００２６】
また、側壁２０Ａ（２０Ｂ）において、他の側壁２０Ｂ（２０Ａ）との対向面には、図１及び図２に示すように、正面側の縁部２０ａから背面側の縁部２０ｂに亘って直線状に延びる隔壁２３が、互いに平行となるよう上下方向Ｚに所定の間隔をおいて多数（本実施形態では２２枚）形成されている。各隔壁２３は、側壁２０Ａ（２０Ｂ）の各縁部２０ａ〜２０ｄと略同じ高さ（突出方向の長さ）を有しており、隣接する隔壁２３の間隔は、第２の取付態様（図４（ｂ）参照）において、板部材３０の後述する係合突起３６ａ（３６ｂ），３８ａ（３８ｂ）がスライド挿入可能（挿入及び摺動可能）な間隔（係合突起３６ａ，３６ｂ，３８ａ，３８ｂよりも僅かに大きい間隔）となっている。
【００２７】
側壁２０Ａ（２０Ｂ）は、このような隔壁２３が設けられることにより、図１及び図２に示すように、隣接する隔壁２３間にそれぞれ、板部材３０の後述する係合突起３６ａ（３６ｂ），３８ａ（３８ｂ）をスライド挿入させるための案内溝２２が収納空間１２の奥行き方向に沿って形成されている。この案内溝２２は、側壁２０Ａ（２０Ｂ）の対向面において、連結用貫通孔２１ａ及び部材挿通用貫通孔２１ｂが形成された領域以外の略全域に亘って多数（本実施形態では２１本）形成されている。
【００２８】
さらに、側壁２０Ａ（２０Ｂ）において、他の側壁２０Ｂ（２０Ａ）との対向面には、図１〜図３に示すように、第１の取付態様（図４（ａ）参照）において、板部材３０の後述する上方側係合突起３６ａ（３６ｂ）が嵌合可能な上方側嵌合凹部２６ａと、板部材３０の後述する下方側係合突起３８ａ（３８ｂ）が嵌合可能な下方側嵌合凹部２６ｂとが形成されている。これら上方側嵌合凹部２６ａ及び下方側嵌合凹部２６ｂは、複数の案内溝２２のうち、第１の取付態様において、板部材３０の後述する上方側係合突起３６ａ（３６ｂ）及び下方側係合突起３８ａ（３８ｂ）と整合する位置に配置された案内溝２２に抜け止め壁２８が設けられることで、形成されている。すなわち、上方側嵌合凹部２６ａ及び下方側嵌合凹部２６ｂは、それぞれ、各嵌合凹部とこれに対応する案内溝２２間に立設された抜け止め壁２８を介して、収納空間１２の奥行き方向に向かって該案内溝２２と連続している。
【００２９】
抜け止め壁２８は、図１及び図２に示すように、側壁２０Ａ（２０Ｂ）の各縁部２０ａ〜２０ｄ及び各隔壁２３と略同じ高さを有しており、上下一対の隔壁２３間に亘って、隔壁２３と直交するよう設けられている。上方側嵌合凹部２６ａ及び下方側嵌合凹部２６ｂは、正面側の縁部２０ａと、上下一対の隔壁２３と、抜け止め壁２８とによって囲まれることで形成された凹部であり、板部材３０の後述する上方側嵌合凹部２６ａ及び下方側嵌合凹部２６ｂが嵌合可能な大きさに形成されている。抜け止め壁２８は、第２の取付態様において、案内溝２２内に挿入された板部材３０が収納具本体１０から抜け出すことを規制する抜け止めとして機能するよう構成されている。
【００３０】
板部材３０は、図１に示すように、一対の側壁２０Ａ，２０Ｂ間に挿入可能な横幅（幅方向Ｘの長さ）を有する矩形板状に形成されており、一対の側壁２０Ａ，２０Ｂ間に亘って取付可能に構成されている。板部材３０の下端縁部には、板部材３０の平面３２と直交する方向に向けて延出するフランジ部３４が設けられている。フランジ部３４は、第２の取付態様において、板部材３０に載置された物品の落下防止部として機能するよう構成されている。
【００３１】
また、板部材３０は、左右両側縁部から幅方向外側に向けてそれぞれ延出する係合突起３６ａ，３６ｂ，３８ａ，３８ｂを有している。係合突起３６ａ，３６ｂ，３８ａ，３８ｂは、図１及び図３に示すように、板部材３０の左右両側縁部の上方側に設けられた上方側係合突起３６ａ，３６ｂと、板部材３０の左右両側縁部の下方側に設けられた下方側係合突起３８ａ，３８ｂとからなる。
【００３２】
これら係合突起３６ａ，３６ｂ，３８ａ，３８ｂは、図３に示すように、下縁部から上方側係合突起３６ａ，３６ｂまでの距離Ｌ１が、板部材３０の上縁部から下方側係合突起３８ａ，３８ｂまでの距離Ｌ１´と等しく、また、板部材３０の下縁部から下方側係合突起３８ａ，３８ｂまでの距離Ｌ２が、板部材３０の上縁部から上方側係合突起３６ａ，３６ｂまでの距離Ｌ２´と等しい関係となるよう、それぞれ配置されている。
【００３３】
側壁２０Ａ（２０Ｂ）の上方側嵌合凹部２６ａは、図３に示すように、上側の下縁側支持片２４ｄから上方側嵌合凹部２６ａまでの距離が、板部材３０における下縁部から上方側係合突起３６ａ（３６ｂ）までの距離Ｌ１と等しくなる位置に形成されている。また、側壁２０Ａ（２０Ｂ）の下方側嵌合凹部２６ｂは、上側の下縁側支持片２４ｄから下方側嵌合凹部２６ｂまでの距離が、板部材３０における下縁部から下方側係合突起３８ａ，３８ｂまでの距離Ｌ２と等しくなる位置に形成されている。さらに、上方側嵌合凹部２６ａと下方側嵌合凹部２６ｂとの距離は、板部材３０の上方側係合突起３６ａ（３６ｂ）と下方側係合突起３８ａ（３８ｂ）との距離Ｌ３と等しくなるよう設定されている。
【００３４】
また、側壁２０Ａ（２０Ｂ）において、各案内溝２２は、図３に示すように、第２の取付態様において、板部材３０の上方側係合突起３６ａ（３６ｂ）と下方側係合突起３８ａ（３８ｂ）とが該案内溝２２内に配置される奥行き方向Ｙの長さを有している。すなわち、嵌合凹部２６ａ，２６ｂが設けられた案内溝２２は、板部材３０の上縁部から下方側係合突起３８ａ（３８ｂ）までの距離Ｌ１´（＝下縁部から上方側係合突起３６ａ（３６ｂ）までの距離Ｌ１）よりも大きい奥行き方向Ｙの長さＤを有しており、それ以外の案内溝２２は、該長さＤよりも大きい奥行き方向Ｙの長さを有している。
【００３５】
以上の構成を備える物品収納具１によれば、既述の通り、収納対象となる物品（小型備品）の形状や大きさに応じて、図４（ａ）に示す第１の取付態様と、図４（ｂ）に示す第２の取付態様とを任意に選択可能である。
【００３６】
すなわち、本実施形態に係る物品収納具１によれば、図４（ａ）に示すように、収納具本体１０の一対の側壁２０Ａ，２０Ｂに形成された上方側嵌合凹部２６ａ，２６ａ及び下方側嵌合凹部２６ｂに板部材３０の上方側係合突起３６ａ，３６ｂ及び下方側係合突起３８ａ，３８ｂを嵌合させることにより、一対の側壁２０Ａ，２０Ｂの正面側の縁部２０ａに沿って板部材３０が取り付けられる第１の取付態様を実現することができる。この第１の取付態様によれば、収納具本体１０の収納空間１２を最大限大きく確保することが可能となるため、例えば、割り箸、フォーク、スプーン、ストロー等の長尺な物品を収納することが可能となる（図７及び図９参照）。また、収納具本体１０の正面側の開口１３ｂの一部（下方領域）を板部材３０によって閉塞することにより、収納空間１２内の物品が倒れて漏出することを防止可能となる。
【００３７】
また、本実施形態に係る物品収納具１によれば、図４（ｂ）に示すように、収納具本体１０の一対の側壁２０Ａ，２０Ｂに形成された案内溝２２に沿って板部材３０をスライド挿入させることにより、収納具本体１０の収納空間１２内に板部材３０が取り付けられる第２の取付態様を実現することができる。この第２の取付態様によれば、収納具本体１０の収納空間１２を板部材３０によって二以上に仕切ることが可能となるため、例えば、１つの物品収納具１内に二種類以上の物品を分けて収納することが可能となる。また、収納する物品が少量の場合であっても、板部材３０によって収納空間１２の容積を意図的に小さくすることで、ボリューム感を作出することが可能となる（図８及び図９参照）。
【００３８】
なお、２の取付態様において、板部材３０によって区分けする収納空間１２の容積は、挿入する案内溝２２を変更することにより任意に調整可能であり、板部材３０によって区分けする数は、板部材３０の数を変更することにより任意に調整可能である。また、収納具本体１０の収納空間１２に対して、板部材３０を上端縁部側から挿入するか、下端縁部側から挿入するかは任意であるが、フランジ部３４が収納具本体１０の正面側の開口１３ｂ側に位置するように板部材３０を上端縁部側から挿入する場合には、フランジ部３４を上述した落下防止部として機能させることが可能となる（図４（ｂ）及び図８参照）。
【００３９】
本実施形態に係る物品収納具１は、以上説明した板部材３０に加えて、又はこれに代えて、図５に示す縦方向仕切り部材４０や、図６に示すカバー部材５０等の付属部品を任意に取り付けることが可能である。また、物品収納具１は、該物品収納具１を傾斜状態で支持するための傾斜部材等の支持部材（図示せず）を、収納具本体１０の基台１４に形成された上下一対の横長の貫通孔１５ａ，１５ｂを利用して、収納具本体１０の背面側に取り付けることも可能である。
【００４０】
縦方向仕切り部材４０は、図５（ａ）及び図５（ｂ）に示すように、基部４２と、基部４２から垂直に立設された仕切り部４４とを有する水平断面がＬ字状の部材である。基部４２は、収納具本体１０の基台１４に形成された上下一対の横長の貫通孔１５ａ，１５ｂと同じ間隔をおいて、上下一対の円形取付孔４６ａ，４６ｂが形成されており、ビス等の取付手段４８によって収納具本体１０の基台１４に取り付け可能に構成されている。このような縦方向仕切り部材４０によれば、図５（ｂ）に示すように、仕切り部４４によって物品収納具１の収納空間１２を幅方向Ｘに仕切ることができる（図９参照）。また、収納具本体１０は、貫通孔１５ａ，１５ｂが横長に形成されていることにより、物品収納具１の収納空間１２における仕切り部４４の幅方向Ｘの位置を任意に調整することが可能に構成されている。
【００４１】
カバー部材５０は、図６（ａ）に示すように、一対の側壁２０Ａ，２０Ｂの上縁部２０ｃ及び正面側の縁部２０ａに沿った形状を有する板部材であり、その側縁部には、所定の間隔をおいて複数の突起５２ａ，５２ｂ，５４ａ，５４ｂ，５６ａ，５６ｂが設けられている。一対の側壁２０Ａ，２０Ｂには、カバー部材５０の突起５２ａ，５２ｂ，５４ａ，５４ｂ，５６ａ，５６ｂと整合する位置に、それぞれ凹部２６ｂ，２９ａ，２９ｂが形成されている。カバー部材５０は、突起５２ａ，５２ｂ，５４ａ，５４ｂ，５６ａ，５６ｂを一対の側壁２０Ａ，２０Ｂの凹部２６ｂ，２９ａ，２９ｂに嵌合させることにより、図６（ｂ）に示すように、収納具本体１０の正面側の開口１３ｂ及び上面側の開口１３ａを閉塞可能に構成されている。また、カバー部材５０には、閉塞した収納具本体１０の内部空間から物品を取り出すための取り出し孔５８が形成されている。このようなカバー部材５０によれば、ビニール袋等を内部に収納具本体１０内に収納し、取り出し孔５８を介して１枚ずつ取り出す等の使い方を実現可能である（図８参照）。
【００４２】
次に、本実施形態に係る物品収納具１の使用例について、図７〜図９を用いて説明する。なお、本実施形態に係る物品収納具１の使用方法は、以下で説明する使用例に限定されるものではない。
【００４３】
図７は、例えばスープ類の商品を提供する売り場（スープバー等）において、カップ６０、蓋６１及びスプーン６２等の物品（小型備品）を収納する例を示している。図示の例では、板部材３０を上述した第１の取付態様で収納具本体１０に取り付けた物品収納具１を３つ連結させ、カップ６０と、蓋６１と、スプーン６２とをそれぞれ異なる物品収納具１に収納させている。このような使用例によれば、カップ６０、蓋６１及びスプーン６２というそれぞれ形状や大きさが異なる物品を共通の物品収納具１（同じ規格の収納具）を用いて収納することが可能となるため、各店舗において多種類のケースを用意する必要がなくなり、また、整理された見栄えの良い売り場を作出することが可能となる。
【００４４】
次に、図８は、例えばパン類の商品を提供する売り場（インストアベーカリー等）において、商品を入れるためのビニール６３及び結束具６４（ビニタイ等）等の物品（小型備品）を収納する例を示している。図示の例では、板部材３０を上述した第２の取付態様で収納具本体１０に取り付けた物品収納具１と、カバー部材５０を取り付けた２つの収納具本体１０とを連結させ、カバー部材５０を取り付けた２つの収納具本体１０にビニール６３をそれぞれ収納すると共に、板部材３０を取り付けた物品収納具１に結束具６４を収納させている。なお、物品収納具１には、結束具６４を載置させるために第２の取付態様で取り付けられた板部材３０の他に、該板部材３０よりも下部の収納空間が外から視認できないようにするためのもう一つの板部材３０を第１の取付態様で取り付けている。このような使用例によっても、ビニール６３及び結束具６４というそれぞれ形状や大きさが異なる物品を同じ規格の収納具を用いて提供することが可能となるため、各店舗において多種類のケースを用意する必要がなくなり、また、整理された見栄えの良い売り場を作出することが可能となる。
【００４５】
最後に、図９は、例えばコーヒー等の飲料商品を提供する売り場（イートインコーナーやセルフレジ等）において、ホット飲料用蓋６５、アイス飲料用蓋６６、ガムシロップ６７、ミルク６８、スティック型砂糖６９、マドラー７０及びストロー７１等の物品（小型備品）を収納する例を示している。図示の例では、上面側の開口１３ａが顧客側に向き、正面側の開口１３ｂが鉛直方向上方を向くよう寝かせた収納具本体１０を２つ連結し、これを３段積み重ねて用いており、ホット飲料用蓋６５と、アイス飲料用蓋６６と、ガムシロップ６７と、ミルク６８と、スティック型砂糖６９と、マドラー７０と、ストロー７１とをそれぞれ異なる収納具本体１０に収納させている。また、例えばミルク６８を収納する収納具本体１０には、板部材３０が上述した第２の取付態様で取り付けられており、これにより、ミルク６８を収納するための収納空間１２の容積を意図的に小さくし、ボリューム感が作出されている。このような使用例によっても、ホット飲料用蓋６５、アイス飲料用蓋６６、ガムシロップ６７、ミルク６８、スティック型砂糖６９、マドラー７０及びストロー７１というそれぞれ形状や大きさが異なる物品を同じ規格の収納具を用いて収納することが可能となるため、各店舗において多種類のケースを用意する必要がなくなり、また、整理された見栄えの良い売り場を作出することが可能となる。
【００４６】
以上、本発明の好適な実施形態について説明したが、本発明の技術的範囲は、上述した実施形態に記載の範囲には限定されない。上記各実施形態には、多様な変更又は改良を加えることが可能である。
【００４７】
例えば、上述した実施形態では、収納具本体１０が正面及び上面が開放された箱体に形成されるものとして説明したが、これに限定されず、収納空間１２内に物品を挿脱させるための開口が少なくとも一部に形成されていれば良い。例えば、収納具本体１０の正面側に局所的に開口が形成される構成や、正面及び上面に加え、背面が開放された構成等、種々の構成を採用可能である。
【００４８】
上述した実施形態では、収納具本体１０が基台１４と一対の側壁２０Ａ，２０Ｂとからなり、これら部材が互いに分離可能であるものとして説明したが、これに限定されず、これら部材が分離不能に一体化された構成としても良い。
【００４９】
上述した実施形態では、収納具本体１０が縦長であるものとして説明したが、これに限定されず、収納具本体１０の形状は任意に変更可能である。また、収納具本体１０の基台１４が背面部１４ａと底面部１４ｂとからなるＬ字状に形成されるものとして説明したが、これに限定されず、種々の形状を採用可能であり、例えば図９に示すような、フランジ部１４ｃを上縁に有する基台１４´を採用することも可能である。
【００５０】
上述した実施形態では、板部材３０が矩形板状に形成されるものとして説明したが、これに限定されず、上述した第１の取付態様と第２の取付態様とを選択可能な形状であれば、任意に変更可能である。また、板部材３０の下端縁部にフランジ部３４が形成されるものとして説明したが、これに限定されず、板部材３０の上端縁部にフランジ部３４が形成される構成としても良い。
【００５１】
上述した実施形態では、側壁２０Ａ（２０Ｂ）の対向面における連結用貫通孔２１ａ及び部材挿通用貫通孔２１ｂが形成された領域以外の略全域に亘って多数の案内溝２２が形成されるものとして説明したが、これに限定されず、案内溝２２が形成される領域及びその数は、任意に変更可能である。
【００５２】
上述した実施形態では、物品として食品提供用の小型備品を例に挙げて説明したが、これに限定されず、種々の物品に用いることが可能である。また、設置箇所についても、スーパーマーケットの売り場等に限定されず、種々の施設に設置することが可能である。
【符号の説明】
【００５３】
１  物品収納具、１０  収納具本体、１２  収納空間、１３ａ  上面側の開口、１３ｂ  正面側の開口、２０Ａ，２０Ｂ  側壁、２０ａ  正面側の縁部、２０ｂ  背面側の縁部、２０ｃ  上縁部、２０ｄ  下縁部、２２  案内溝、２６ａ  上方側嵌合凹部、２６ｂ  下方側嵌合凹部、２８  抜け止め壁、３０  板部材、３４  フランジ部、３６ａ，３６ｂ  上方側係合突起、３８ａ，３８ｂ  下方側係合突起
【図１】
2020117247.tif 000003
【図２】
2020117247.tif 000004
【図３】
2020117247.tif 000005
【図４】
2020117247.tif 000006
【図５】
2020117247.tif 000007
【図６】
2020117247.tif 000008
【図７】
2020117247.tif 000009
【図８】
2020117247.tif 000010
【図９】
2020117247.tif 000011